(57)【要約】【課題】給紙トレイに収容された記録シートの種類及びサイズと、ユーザーが設定した記録シートの種類及びサイズとが一致しない可能性を低減すること。【解決手段】給紙トレイに収容された記録シートの種類を設定する種類設定手段（Ｃ３）と、給紙トレイに収容された前記記録シートのサイズを設定するサイズ設定手段（Ｃ５）と、ジョブ終了後に前記記録シートの種類及び前記記録シートのサイズのいずれかあるいは両方が設定された場合で且つ、前記ジョブ終了後に前記給紙トレイが着脱されていない場合に、前記設定された前記記録シートの種類及びサイズと、前記給紙トレイに収容されている前記記録シートの種類及びサイズとが一致していないことを告知する一致確認告知手段とを備えた画像形成装置。【選択図】    図３
2004191895.tif 000002
【特許請求の範囲】
【請求項１】
下記の構成要件（Ａ01）〜（Ａ07）を備えた画像形成装置、（Ａ01）画像が記録される記録シートを収容し、画像形成装置本体に出入可能な給紙トレイ、
（Ａ02）画像形成動作であるジョブを実行する際に、前記画像形成装置の動作を制御するために、前記記録シートのサイズ及び種類に応じて設定された画像形成パラメータにより前記ジョブを制御するジョブ制御手段、
（Ａ03）前記給紙トレイに収容された前記記録シートの種類を設定する種類設定手段、
（Ａ04）前記給紙トレイに収容された前記記録シートのサイズを設定するサイズ設定手段、
（Ａ05）前記給紙トレイが画像形成装置本体に対し着脱されたか否かを検知するトレイ着脱センサ、
（Ａ06）画像形成動作であるジョブの終了後に、前記給紙トレイが着脱されたか否かを記憶する着脱記憶手段、
（Ａ07）ジョブ終了後に前記記録シートの種類及び前記記録シートのサイズのいずれかあるいは両方が設定された場合で且つ、前記ジョブ終了後に前記給紙トレイが着脱されていない場合に、前記設定された前記記録シートの種類及びサイズと、前記給紙トレイに収容されている前記記録シートの種類及びサイズとが一致していないことを告知する一致確認告知手段。
【請求項２】
下記の構成要件（Ａ01）〜（Ａ03），（Ａ04′），（Ａ08），（Ａ09）を備えた画像形成装置、
（Ａ01）画像が記録される記録シートを収容し、画像形成装置本体に出入可能な給紙トレイ、
（Ａ02）画像形成動作であるジョブを実行する際に、前記画像形成装置の動作を制御するために前記記録シートのサイズ及び種類に応じて設定された画像形成パラメータにより、前記ジョブを制御するジョブ制御手段、
（Ａ03）前記給紙トレイに収容された前記記録シートの種類を設定する種類設定手段、
（Ａ04′）前記給紙トレイに収容された前記記録シートのサイズが定形サイズである場合には、前記給紙トレイに収容された記録シートのサイズを自動的に検出して検出したシートサイズを自動的に設定する定形サイズ設定手段と、
前記給紙トレイに収容された前記記録シートのサイズが定形サイズ以外の定形外サイズである場合には、ユーザインタフェースから入力されたサイズを前記給紙トレイに収容された記録シートのサイズとして設定する定形外サイズ設定手段とを有するサイズ設定手段、
（Ａ08）前記サイズ設定手段によって設定された前記記録シートのサイズが定形外である場合に、前記記録シートの種類の設定またはサイズの設定の確認を行うことを告知する確認告知種類及び前記告知をしない非確認告知種類の少なくともいずれかを記憶する告知種類記憶手段、
（Ａ09）前記給紙トレイに収容された記録シートに対して前記確認告知種類が前記種類設定手段により設定された際に、前記確認告知種類に設定された記録シートのサイズが定形外シートである場合に、前記記録シートの種類の設定またはサイズの設定の確認を行うことをユーザーに告知する設定確認告知手段。
【請求項３】
次の構成要件（Ａ010）を備えたことを特徴とする請求項２記載の画像形成装置。
（Ａ010）前記記録シートの種類の設定またはサイズの設定の確認を行う画面をユーザインタフェースに表示する確認画面表示手段により構成された前記確認告知手段。
【発明の詳細な説明】
【０００１】
【発明の属する技術分野】
本発明は、画像が記録されるシートを収容する給紙トレイを備えた画像形成装置に関し、特に、前記給紙トレイ内に収容されたシートのサイズが定形外である場合にサイズを詳細に（ミリメートル単位まで）検出せず、種類及びサイズが設定可能な画像形成装置に関する。
【０００２】
【従来の技術】
複写機、プリンター、ＦＡＸ等の画像形成装置では、高画質の画像を形成するために、画像形成動作（ジョブ）を実行する際に、画像が記録される記録シートの種類及びサイズの組み合わせに応じて、画像形成装置内部の各部材の作動が調節・制御される。即ち、帯電部材の帯電バイアス、転写装置の転写バイアス、記録シートの搬送速度や給紙間隔、感光体等の回転速度及び定着装置の定着温度等を制御する制御パラメータ（画像形成パラメータ）が、高画質の画像を形成する上で最適な条件になるように、記録シートの種類及びサイズに応じて調節・制御される。
【０００３】
給紙トレイ内に収容された記録シートの種類は、自動的に種類を判別するためにセンサを設けるとコスト高となるため、一般には自動検知されず、ユーザーが手動で設定している。一方、給紙トレイ内の記録シートのサイズは、自動的に検出してサイズを設定する場合と、ユーザーの入力によってサイズを設定する場合の両方がある。自動的にサイズを検出する場合でも、定形サイズ（例えば、Ａ４、Ｂ５等）しか検出できないものと、定形外のサイズの記録シートの幅と長さをミリメートル単位で自動的に検出するものがある。しかしながら、定形外のサイズをミリメートル単位で検出する検出器（センサ）は高コストであるため、一般には定形サイズしか検出できないセンサが使用され、定形外サイズである場合ユーザーがサイズを手動で入力するか、最も近い定形サイズを選択している。
【０００４】
給紙トレイに収容された記録シートの種類またはサイズを変更する場合、前述のように、一般には記録シートの種類及びサイズの一方または両方をユーザーが設定する必要がある。しかし、ユーザーが種類やサイズの設定を間違えてしまったり、設定し忘れたりする場合や、種類やサイズを正確に設定しても設定後の記録シートを給紙トレイに入れ忘れたりする場合がある。ユーザーのミスにより、給紙トレイに収容された記録シートの種類及びサイズと、設定された種類及びサイズが一致しないと、前記画像形成パラメータが最適な条件に調節・制御されない。この結果、高画質の画像が形成されない画像形成不良や、ジャム（紙づまり）等のトラブルが発生する場合がある。
【０００５】
前記トラブルを防止するために、一般の画像形成装置では、前記画像形成パラメータが最適な条件にできない記録シートの種類及びサイズの組み合わせが設定された場合、その記録シートの使用を禁止する処理を行う。したがって、使用が禁止されない（使用可能な）記録シートが給紙トレイに収容されているにも関わらず、ユーザーによって使用が禁止される種類及びサイズの組み合わせが設定され、ユーザーが設定ミスに気付かない場合、その記録シートの使用が禁止され、画像形成が実行されなくなってしまう。
【０００６】
ユーザーのミスを低減するために次の技術（Ｊ01）、（Ｊ02）が従来公知である。
（Ｊ01）特許文献１記載の技術
特許文献１には、ユーザーが誤って組み合わせることのできない設定をした場合に、組み合わせることのできる設定の内容を表示し、ユーザーが表示を確認しながら、組み合わせることのできる設定に再設定できる技術が記載されている。（Ｊ02）特許文献２記載の技術
特許文献２には、給紙トレイの内部に記録シートの種類を設定する回転板状のスイッチと記録シートのサイズを設定する回転板状のスイッチとを設け、ユーザーが記録シートを入れ替えるために給紙トレイを画像形成装置から引き出した時に、各スイッチを操作して記録シートの種類とサイズを設定する技術が記載されている。また、給紙トレイの出し入れ（トレイの開閉）を検出する開閉センサを使用し、給紙トレイが引き出された時に、給紙トレイの各スイッチの設定を初期化する技術も記載されている。
【０００７】
【特許文献１】特開２００１−１９５１６６号公報（段落番号「００１３」、「００２２」〜「００４０」第３図〜第９図）
【特許文献２】特開２００１−１３９１５５号公報（段落番号「００４１」〜「００４４」、「００５４」〜「００５９」、「００６６」〜「００７４」第１図、第４図、第７図）
【０００８】
【発明が解決しようとする課題】
しかしながら、前記従来技術（Ｊ01）では、設定された記録シートの種類及びサイズの組み合わせが画像形成装置で使用可能な組み合わせである場合、ユーザーが給紙トレイ内の記録シートを設定後の種類及びサイズの記録シートに入れ替え忘れても、画像形成が実行されてしまう。したがって、給紙トレイ内の記録シートの種類及びサイズと、設定された種類及びサイズとが一致していない場合でも画像形成が実行されてしまい、トラブル（画像形成不良やジャムの発生）が発生してしまうという問題がある。
前記従来技術（Ｊ02）では、記録シートの種類及びサイズを設定するスイッチが給紙トレイに設けられているので、ユーザーが種類及びサイズの設定を間違えた場合や設定を忘れた場合に、給紙トレイを引き出さなければ再設定できず、作業が煩わしい。また、回転板状のスイッチに登録されている種類及びサイズしか設定することができないので、設定できる種類及びサイズが非常に限定される上に、定形外の記録シートを使用しようとしても、定形外シートの具体的なサイズを指定することができない。さらに、給紙トレイ毎に種類及びサイズを設定するスイッチを設けると部品点数が多くなり、コスト高となってしまう問題もある。また、トレイを引き出した時に設定が初期化される場合では、記録シートを補給する目的で給紙トレイを引き出した場合にも設定が初期化されるため、用紙補給の度に設定をし直さなければならず、作業が煩わしいという問題がある。
【０００９】
また、前記従来技術（Ｊ01）、（Ｊ02）では、給紙トレイに収容されている記録シートの種類およびサイズをセンサ等で確認しないので、ユーザーが設定した記録シートの種類およびサイズの組み合わせが使用禁止されない組み合わせである場合には、ジョブが実行されてしまう。即ち、給紙トレイに収容されている記録シートの種類及びサイズと、ユーザーが設定した種類及びサイズとが一致するか否かが確認されずにジョブが実行されてしまう。この結果、一致しない場合には、トラブル（画像形成不良やジャム）が発生しないと、ユーザーが設定ミスに気付かないという問題がある。
【００１０】
本発明は、前述の事情に鑑み、記録シートの種類及びサイズが設定可能な画像形成装置において、次の記載内容（Ｏ01）を技術的課題とする。
（Ｏ01）給紙トレイに収容された記録シートの種類及びサイズと、ユーザーが設定した記録シートの種類及びサイズとが一致しない可能性を低減すること。
【００１１】
【課題を解決するための手段】
次に、前記課題を解決した本発明を説明するが、本発明の要素には、後述の実施の形態の要素との対応を容易にするため、実施の形態の要素の符号をカッコで囲んだものを付記する。また、本発明を後述の実施の形態の符号と対応させて説明する理由は、本発明の理解を容易にするためであり、本発明の範囲を実施の形態に限定するためではない。
【００１２】
（本発明）
前記課題を解決するために本発明の画像形成装置では、下記の構成要件（Ａ01）〜（Ａ07）を備えたことを特徴とする。
（Ａ01）画像が記録される記録シート（Ｓ）を収容し、画像形成装置本体（Ｕ１）に出入可能な給紙トレイ（ＴＲ１〜ＴＲ４）、
（Ａ02）画像形成動作であるジョブを実行する際に、前記画像形成装置（Ｕ）の動作を制御するために、前記記録シート（Ｓ）のサイズ及び種類に応じて設定された画像形成パラメータにより前記ジョブを制御するジョブ制御手段（Ｃ１）、
（Ａ03）前記給紙トレイ（ＴＲ１〜ＴＲ４）に収容された前記記録シート（Ｓ）の種類を設定する種類設定手段（Ｃ３）、
（Ａ04）前記給紙トレイ（ＴＲ１〜ＴＲ４）に収容された前記記録シート（Ｓ）のサイズを設定するサイズ設定手段（Ｃ５）、
（Ａ05）前記給紙トレイ（ＴＲ１〜ＴＲ４）が画像形成装置本体（Ｕ１）に対し着脱されたか否かを検知するトレイ着脱センサ（ＳＮ２）、
（Ａ06）画像形成動作であるジョブの終了後に、前記給紙トレイ（ＴＲ１〜ＴＲ４）が着脱されたか否かを記憶する着脱記憶手段（Ｃ７）、
（Ａ07）ジョブ終了後に前記記録シート（Ｓ）の種類及び前記記録シート（Ｓ）のサイズのいずれかあるいは両方が設定された場合で且つ、前記ジョブ終了後に前記給紙トレイ（ＴＲ１〜ＴＲ４）が着脱されていない場合に、前記設定された前記記録シート（Ｓ）の種類及びサイズと、前記給紙トレイ（ＴＲ１〜ＴＲ４）に収容されている前記記録シート（Ｓ）の種類及びサイズとが一致していないことを告知する一致確認告知手段（Ｃ８）。
【００１３】
前記構成要件（Ａ01）〜（Ａ07）を備えた本発明の画像形成装置（Ｕ）では、給紙トレイ（ＴＲ１〜ＴＲ４）に収容された記録シート（Ｓ）の種類は種類設定手段（Ｃ３）によって設定され、前記記録シート（Ｓ）のサイズはサイズ設定手段（Ｃ５）によって設定される。ジョブ制御手段（Ｃ１）は、画像形成動作であるジョブを実行する際に、前記画像形成装置（Ｕ）の動作を制御するために、前記記録シート（Ｓ）のサイズ及び種類に応じて設定された画像形成パラメータにより、前記ジョブを制御する。
前記給紙トレイ（ＴＲ１〜ＴＲ４）が画像形成装置本体（Ｕ１）に対し出入されたか否かがトレイ着脱センサ（ＳＮ２）によって検知される。そして、画像形成動作であるジョブの終了後に、前記給紙トレイ（ＴＲ１〜ＴＲ４）が出入されたか否かが着脱記憶手段（Ｃ７）によって記憶されている。一致確認告知手段（Ｃ８）は、ジョブ終了後に前記記録シート（Ｓ）の種類及び前記記録シート（Ｓ）のサイズのいずれかあるいは両方が設定された場合で且つ、前記ジョブ終了後に前記給紙トレイ（ＴＲ１〜ＴＲ４）が着脱されていない場合に、前記設定された前記記録シート（Ｓ）の種類及びサイズが、前記給紙トレイ（ＴＲ１〜ＴＲ４）に収容されている前記記録シート（Ｓ）の種類及びサイズとが一致していないことを告知する。
【００１４】
したがって、本発明の画像形成装置（Ｕ）は、記録シート（Ｓ）の種類及びサイズが設定された場合に、給紙トレイ（ＴＲ１〜ＴＲ４）が出入されていない場合は、給紙トレイ（ＴＲ１〜ＴＲ４）に設定された種類及びサイズの記録シート（Ｓ）が収容されていない（入れ替えられていない）と判断し、その旨をユーザーに告知する。この結果、給紙トレイ（ＴＲ１〜ＴＲ４）に収容された記録シート（Ｓ）の種類及びサイズと、設定された前記給紙トレイ（ＴＲ１〜ＴＲ４）の記録シート（Ｓ）の種類及びサイズとが一致していない場合に、その旨がユーザーに告知されるので、種類及びサイズが一致していない可能性を低減することができる。また、前記告知によって、ユーザーが記録シート（Ｓ）の種類及びサイズの設定を間違えている場合に、ユーザーに設定ミスを気付かせることができ、記録シート（Ｓ）の種類とサイズとの組み合わせの設定ミスを少なくすることができる。
【００１５】
また、前記課題を解決するために本発明の画像形成装置（Ｕ）は、下記の構成要件（Ａ01）〜（Ａ03），（Ａ04′），（Ａ08），（Ａ09）を備えたことを特徴とする。
（Ａ01）画像が記録される記録シート（Ｓ）を収容し、画像形成装置本体（Ｕ１）に出入可能な給紙トレイ（ＴＲ１〜ＴＲ４）、
（Ａ02）画像形成動作であるジョブを実行する際に、前記画像形成装置（Ｕ）の動作を制御するために前記記録シート（Ｓ）のサイズ及び種類に応じて設定された画像形成パラメータにより、前記ジョブを制御するジョブ制御手段（Ｃ１）、
（Ａ03）前記給紙トレイ（ＴＲ１〜ＴＲ４）に収容された前記記録シート（Ｓ）の種類を設定する種類設定手段（Ｃ３）、
（Ａ04′）前記給紙トレイ（ＴＲ１〜ＴＲ４）に収容された前記記録シート（Ｓ）のサイズが定形サイズである場合には、前記給紙トレイ（ＴＲ１〜ＴＲ４）に収容された記録シート（Ｓ）のサイズを自動的に検出して検出したシートサイズを自動的に設定する定形サイズ設定手段（Ｃ５ａ）と、
前記給紙トレイ（ＴＲ１〜ＴＲ４）に収容された前記記録シート（Ｓ）のサイズが定形サイズ以外の定形外サイズである場合には、ユーザインタフェース（ＵＩ）から入力されたサイズを前記給紙トレイ（ＴＲ１〜ＴＲ４）に収容された記録シート（Ｓ）のサイズとして設定する定形外サイズ設定手段（Ｃ５ｂ）とを有するサイズ設定手段（Ｃ５）、
（Ａ08）前記サイズ設定手段（Ｃ５）によって設定された前記記録シート（Ｓ）のサイズが定形外である場合に、前記記録シート（Ｓ）の種類の設定またはサイズの設定の確認を行うことを告知する確認告知種類及び前記告知をしない非確認告知種類の少なくともいずれかを記憶する告知種類記憶手段（Ｃ９）、
（Ａ09）前記給紙トレイ（ＴＲ１〜ＴＲ４）に収容された記録シート（Ｓ）に対して前記確認告知種類が前記種類設定手段（Ｃ３）により設定された際に、前記確認告知種類に設定された記録シート（Ｓ）のサイズが定形外シートである場合に、前記記録シート（Ｓ）の種類の設定またはサイズの設定の確認を行うことをユーザーに告知する設定確認告知手段（Ｃ１０）。
【００１６】
前記構成要件（Ａ01）〜（Ａ03），（Ａ04′），（Ａ08），（Ａ09）を備えた本発明の画像形成装置（Ｕ）では、画像形成装置本体（Ｕ１）に出入可能な給紙トレイ（ＴＲ１〜ＴＲ４）に収容された前記記録シート（Ｓ）の種類は、種類設定手段（Ｃ３）によって設定される。また、前記給紙トレイ（ＴＲ１〜ＴＲ４）に収容された前記記録シート（Ｓ）のサイズが定形サイズである場合には、サイズ設定手段（Ｃ５）の定形サイズ設定手段（Ｃ５ａ）によって、前記給紙トレイ（ＴＲ１〜ＴＲ４）に収容された記録シート（Ｓ）のサイズが自動的に検出されて検出されたシートサイズが自動的に設定される。前記給紙トレイ（ＴＲ１〜ＴＲ４）に収容された前記記録シート（Ｓ）のサイズが定形サイズ以外の定形外サイズである場合には、サイズ設定手段（Ｃ５）の定形外サイズ設定手段（Ｃ５ｂ）によって、ユーザインタフェース（ＵＩ）から入力されたサイズが前記給紙トレイ（ＴＲ１〜ＴＲ４）に収容された記録シート（Ｓ）のサイズとして設定される。ジョブ制御手段（Ｃ１）は、画像形成動作であるジョブを実行する際に、前記画像形成装置（Ｕ）の動作を制御するために前記記録シート（Ｓ）のサイズ及び種類に応じて設定された画像形成パラメータにより前記ジョブを制御する。
【００１７】
告知種類記憶手段（Ｃ９）は、前記サイズ設定手段（Ｃ５）によって設定された前記記録シート（Ｓ）のサイズが定形外である場合に、前記記録シート（Ｓ）の種類の設定またはサイズの設定の確認を行うことを告知する確認告知種類及び前記告知をしない非確認告知種類の少なくともいずれかを記憶する。そして、設定確認告知手段（Ｃ１０）は、前記給紙トレイ（ＴＲ１〜ＴＲ４）に収容された記録シート（Ｓ）に対して前記種類設定手段（Ｃ３）によって前記確認告知種類が設定された際に、前記確認告知種類が設定された前記記録シート（Ｓ）のサイズが定形外である場合に、前記記録シート（Ｓ）の種類の設定またはサイズの設定の確認を行うことをユーザーに告知する。
【００１８】
したがって、本発明の画像形成装置（Ｕ）は、記録シート（Ｓ）のサイズが定形外であり且つ、種類が確認告知種類である場合に、ユーザーに設定の確認を行うように告知する。即ち、ユーザーによって定形外且つ告知確認種類が設定された場合、ユーザーが設定を間違えた可能性が高いと判断し、ユーザーに設定を確認するよう告知する。この告知をしてユーザーに設定を再確認させることによって、給紙トレイ（ＴＲ１〜ＴＲ４）に収容された記録シート（Ｓ）の種類及びサイズと、設定された前記給紙トレイ（ＴＲ１〜ＴＲ４）の記録シート（Ｓ）の種類及びサイズとが一致しない可能性を低減することができる。また、ユーザーが記録シート（Ｓ）の種類及びサイズの設定を間違えている場合に、前記告知によって、ユーザーに設定ミスを気付かせることができ、記録シート（Ｓ）の種類とサイズとの組み合わせの設定ミスを少なくすることができる。なお、前記告知確認種類として、例えば、本発明の画像形成装置（Ｕ）において定形外のサイズで使用される可能性が低い記録シート（Ｓ）の種類や、定形外サイズで使用した場合にトラブル（画質形成不良やジャム等）の発生する可能性のある種類、一般に市場に定形外サイズのものが存在しない種類等を指定することができる。
【００１９】
また、前記構成要件を備えた本発明の画像形成装置（Ｕ）は、次の構成要件（Ａ010）を備えることができる。
（Ａ010）前記記録シート（Ｓ）の種類の設定またはサイズの設定の確認を行う画面をユーザインタフェース（ＵＩ）に表示する設定確認画面表示手段（Ｃ１０ａ）により構成された前記設定確認告知手段（Ｃ１０）。
前記構成要件（Ａ010）を備えた本発明の画像形成装置（Ｕ）では、前記設定確認告知手段（Ｃ１０）は、前記記録シート（Ｓ）の種類の設定またはサイズの設定の確認を行う画面をユーザインタフェース（ＵＩ）に表示する設定確認画面表示手段（Ｃ１０ａ）により構成されている。したがって、ユーザーは、ユーザインタフェース（ＵＩ）に表示された画面の告知を見て告知されたことことを確認できる。
【００２０】
【発明の実施の形態】
次に図面を参照しながら、本発明の実施の形態の画像形成装置を説明するが、本発明は以下の実施の形態に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【００２１】
（実施の形態１）
図１は本発明の実施の形態１の画像形成装置の斜視図である。
図２は実施の形態１の画像形成装置の全体説明図である。
図１において、実施の形態１の給紙装置を備えた画像形成装置（デジタル複写機）Ｕは、プリンタＵ１、イメージスキャナＵ２および自動原稿搬送装置Ｕ３を有している。
前記自動原稿搬送装置Ｕ３は、イメージスキャナＵ２上面のプラテンガラスＰＧ（図２参照）上に支持されている。
前記プリンタＵ１上面には上方のイメージスキャナＵ２との間に用紙排出トレイＴＲｈが設けられている。
【００２２】
図１、図２において、前記自動原稿搬送装置Ｕ３は、複写しようとする複数の原稿Ｇｉが重ねて載置される原稿供給トレイＴＧ１を有している。前記原稿供給トレイＴＧ１に載置された複数の各原稿Ｇｉは順次プラテンガラスＰＧ上の原稿読取り位置を通過して原稿排出トレイＴＧ２に排出されるように構成されている。前記自動原稿搬送装置Ｕ３は、その後端部（−Ｘ端部）に設けた左右方向（Ｙ軸方向）に延びるヒンジ軸（図示せず）により前記プラテンガラスＰＧ上面に対して回動可能であり、原稿Ｇｉをユーザーが手でプラテンガラスＰＧ上に置く場合に上方に回動される。
前記イメージスキャナＵ２は、ユーザーがコピースタート等の作動指令信号を入力操作するＵＩ（ユーザインタフェース）を有している。
【００２３】
図２において、前記透明なプラテンガラスＰＧの下方には原稿画像を読み取るための露光光学系Ａが配置されている。
前記自動原稿搬送装置Ｕ３でプラテンガラスＰＧ上面に搬送される原稿または手動でプラテンガラスＰＧ上に置かれた原稿（図示せず）からの反射光は、前記露光光学系Ａを介して、ＣＣＤ（固体撮像素子）で電気信号に変換される。
ＩＰＳ（イメージプロセッシングシステム）は、ＣＣＤから入力されるＲ，Ｇ，Ｂ（レッド，グリーン，ブルー）の電気信号をＹ，Ｍ，Ｃ，Ｋ（イエロー，マゼンタ，シアン，黒）のデジタル画像データに変換して一時的に記憶し、前記画像データを所定のタイミングで潜像形成用の画像データとしてレーザ駆動回路ＤＬに出力する。
レーザ駆動回路ＤＬは、入力された画像データに応じてレーザ駆動信号をＲＯＳ（潜像形成装置）に出力する。なお、前記ＵＩ（ユーザインタフェース）、ＩＰＳおよびレーザー駆動回路ＤＬと、後述の現像ロールＧａ、転写ロールＴｒにバイアス電圧を印加する電源回路Ｅ等の動作はコントローラＣにより制御される。
【００２４】
感光体ドラムにより構成される感光体ＰＲはその軸ＰＲａと一体的に矢印方向（図２で時計方向）に回転しており、その表面は、帯電ロールＣＲにより一様に帯電された後、潜像書込位置において前記ＲＯＳ（潜像形成装置）のレーザービームＬにより露光走査されて静電潜像が形成される。
前記静電潜像が形成された感光体ＰＲ表面は回転移動して順次、現像領域（現像ロールＧａと対向する領域）、転写領域（転写ロールＴｒと対向する領域）Ｑ１を通過する。
現像装置Ｇは、現像ロールＧａ、現像剤攪拌部材Ｇｂ，Ｇｃ，Ｇｄを回転可能に支持し且つ現像剤を収容する現像容器Ｖを有しており、現像領域を通過する感光体ＰＲ上の静電潜像をトナー像に現像する。
【００２５】
図１、図２において、第１給紙トレイＴＲ１、第２給紙トレイＴＲ２、第３給紙トレイＴＲ３及び第４給紙トレイは、前記転写領域Ｑ１に搬送するための記録シートＳを収容しており、前記各給紙トレイＴＲ１〜ＴＲ４はプリンタＵ１の前面に形成された給紙トレイ挿入口からプリンタＵ１内部のトレイ収容空間に出入可能である。
図２において、プリンタＵ１のトレイ収容空間には、給紙トレイ挿入口から出入（挿入および抜出）される給紙トレイＴＲ１〜ＴＲ４の左右両端部を移動可能に支持するレール（トレイ支持部材）ＲＬ１，ＲＬ１が配置されている。
【００２６】
前記給紙トレイＴＲ１〜ＴＲ４の記録シート（被転写体、記録用紙）Ｓは、ピックアップロールＲpにより取り出され、さばきロールＲsにより１枚ずつ分離されて、用紙搬送路ＳＨに沿って配置された複数の用紙搬送ロールＲａにより搬送され、レジロールＲｒ（図２参照）により所定のタイミングで、前記転写領域Ｑ１に搬送される。
また、手差トレイＴＲ0から給紙された記録シートＳも前記用紙搬送路ＳＨに沿って配置された用紙搬送ロールＲａ、レジロールＲｒにより前記転写領域Ｑ１に搬送される。
前記シート搬送路ＳＨ、シート搬送ロールＲａ、レジロールＲｒ等によりシート搬送装置（ＳＨ＋Ｒａ＋Ｒｒ）が構成されている。
【００２７】
図２において、前記転写領域Ｑ１には転写バイアスが印加される転写ロールＴｒが配置されている。この転写ロールＴｒは転写領域Ｑ１において前記感光体ＰＲに圧接しており、転写領域Ｑ１を通過する記録シートＳに感光体ＰＲ上のトナー像を転写する。
感光体ＰＲ表面のトナー像が転写領域Ｑ１において記録シートＳに転写された後、前記感光体ＰＲは、クリーナＣＬにより表面に付着した残留トナーが回収される。前記クリーナＣＬにより表面に付着した残留トナーが回収された感光体ＰＲは、前記帯電ロールＣＲにより帯電される。
【００２８】
前記転写領域Ｑ１において未定着のトナー像が転写された記録シートＳは、トナー像が未定着の状態で定着領域Ｑ２に搬送され、定着領域Ｑ２に配置された定着装置Ｆの加熱ロールＦｈ及び加圧ロールＦｐによりトナー像が定着される。定着トナー像が形成された記録シートＳは、その後、用紙ガイドにガイドされて排紙ロールＲ１に搬送される。記録シートＳは、前記排紙ロールＲ１により用紙排出トレイＴＲｈに排出される。
【００２９】
（実施例１の制御部の説明）
図３は実施の形態１の画像形成装置の制御部分が備えている各機能をブロック図（機能ブロック図）で示した図である。
図４は実施の形態１の画像形成装置の制御部分が備えている各機能をブロック図（機能ブロック図）の前記図３の続きのブロック図である。
図３、図４において、前記コントローラＣは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、前記ＲＯＭに記憶されたプログラムに応じた処理を行うＣＰＵ（中央演算処理装置）、ならびにクロック発振器等を有するコンピュータにより構成されており、前記ＲＯＭに記憶されたプログラムを実行することにより種々の機能を実現することができる。
【００３０】
（前記コントローラＣに接続された信号入力要素）
前記コントローラＣは、ＵＩ（ユーザインタフェース）、シートサイズ検出センサＳＮ１、トレイ着脱センサＳＮ２等の信号入力要素からの信号が入力されている。
前記ＵＩは、コピースタートキーＵＩ1、テンキーＵＩ２、コピー枚数入力キーＵＩ3、表示部ＵＩ４、用紙設定ボタンＵＩ５等を備えている。
前記シートサイズ検出センサＳＮ１は、各給紙トレイＴＲ１〜ＴＲ４に設けられており、各給紙トレイＴＲ１〜ＴＲ４に収容された記録シートのサイズが定形サイズであるか否かを自動検出し、定形である場合にはその定形サイズ（Ａ３，Ｂ４，Ａ４，Ｂ５等）を自動検出する。
前記トレイ着脱センサＳＮ２は、各給紙トレイＴＲ１〜ＴＲ４に設けられており、各給紙トレイＴＲ１〜ＴＲ４がプリンタＵ１に対して出し入れされたことを検出する。
【００３１】
（前記コントローラＣに接続された制御要素）
また、コントローラＣは、メインモータ駆動回路Ｄ１、電源回路Ｅ、その他の制御要素に接続されており、それらの作動制御信号を出力している。
前記メインモータ駆動回路Ｄ1はメインモータＭ１を介して感光体ＰＲ、現像器Ｇ、帯電ロールＣＲ、転写ロールＴｒ、定着装置Ｆの加熱ロールＦｈ，加圧ロールＦｐの等を駆動する。
前記電源回路Ｅは現像バイアス用電源回路Ｅ1、帯電用電源回路Ｅ2、転写ロール用電源回路Ｅ3、加熱ロール用電源回路Ｅ４等を有している。
【００３２】
前記現像バイアス用電源回路Ｅ1は現像装置Ｇの現像ロールＧａに現像バイアス電圧を印加する。
前記帯電器用電源回路Ｅ2は、帯電ロールＣＲに帯電バイアスを印加する。
前記転写ロール用電源回路Ｅ３は、転写ロールＴｒに転写バイアスを印加する。
前記加熱ロール用電源回路Ｅ４は、加熱ロールＦｈのヒータ（図示せず）に加熱用電力を供給する。
【００３３】
（前記コントローラＣの機能）
前記コントローラＣは、前記各信号出力要素からの出力信号に応じた処理を実行して、前記各制御要素に制御信号を出力する機能（制御手段）を有している。前記コントローラＣの機能（制御手段）を次に説明する。
Ｃ1：ジョブ制御手段
ジョブ制御手段Ｃ１は、メインモータ回転制御手段Ｃ１ａと電源回路制御手段Ｃ１ｂと画像形成パラメータ制御手段Ｃ１ｃ等を有する。そして、画像形成パラメータ制御手段Ｃ１ｃで設定された、前記感光体ＰＲ、現像ロールＧａや用紙搬送ロールＲａ等の回転速度や、前記現像バイアスや帯電バイアス、転写バイアス、加熱用電力等の画像形成パラメータによりジョブを制御する。
【００３４】
Ｃ１ａ：メインモータ回転制御手段Ｃ１ａ
メインモータ回転制御手段Ｃ１ａは、前記メインモータ駆動回路Ｄ１を制御して、感光体ＰＲや現像器Ｇ、帯電ロールＣＲ等の駆動を制御する。
Ｃ１ｂ：電源回路制御手段
電源回路制御手段Ｃ１ｂは、前記電源回路Ｅを制御して、前記現像バイアスや帯電バイアス、転写バイアス、加熱用電力等を制御する。
Ｃ１ｃ：画像形成パラメータ制御手段
画像形成パラメータ制御手段Ｃ１ｃは、ジョブ実行時に給紙される記録シートＳのサイズ及び種類に応じて画像形成パラメータを調整・制御する。例えば、使用される記録シートのサイズ（Ａ３，Ｂ４等）に応じて、記録シートＳを給紙トレイＴＲ１〜ＴＲ４から送り出す間隔を調節したり、記録シートＳとして厚紙が使用される場合には記録シートＳの搬送速度を普通紙に比べ遅くしたり、転写バイアスを普通紙に比べ高電圧にしたり、定着温度を高くする等する等の調整・制御を行う。
前記画像形成パラメータとしては、例えば、前記帯電バイアス、転写バイアス、ＲＯＳ（潜像形成装置）のレーザービームＬのレーザー出力、シート搬送速度、シート送り出し間隔、感光体ＰＲや帯電ロールＣＲ、現像ロールＧａの回転速度、定着温度等がある。
【００３５】
Ｃ２：トレイ選択手段
トレイ選択手段Ｃ２は、選択トレイ記憶手段Ｃ２ａを有し、記録シートの種類及びサイズの設定が行われる給紙トレイＴＲ１〜ＴＲ４の選択が行われる。
Ｃ２ａ：選択トレイ記憶手段
選択トレイ記憶手段Ｃ２ａは、前記トレイ選択手段Ｃ２で選択された給紙トレイを選択トレイとして記憶する。
Ｃ３：種類設定手段
種類設定手段Ｃ３は、設定可能種類記憶手段Ｃ３ａを有し、前記選択トレイに収容された記録シートＳの種類を設定する。
【００３６】
Ｃ３ａ：設定可能種類記憶手段
設定可能種類記憶手段Ｃ３ａは、前記種類設定手段Ｃ３で設定可能な用紙種類（記録シートＳの種類）を記憶する。実施の形態１の設定可能種類記憶手段Ｃ３ａは、前記設定可能な用紙種類として、「普通紙」、「上質紙」、「再生紙」、「うす紙」、「厚紙１」、「厚紙２」、「厚紙１（裏）」、「厚紙２（裏）」、「ＯＨＰシート」、「ラベル紙」及び「ユーザー定義用紙」を記憶している（後述する図１０参照）。
前記種類設定手段Ｃ３で用紙種類を設定する場合、選択トレイに収容する記録シートＳの種類をユーザーが判断して入力する。ユーザーは、用紙種類を判断する際に、例えば用紙坪量（記録シートＳの単位面積あたりの重さ、単位：ｇ／ｍ2）を基準として判断することができる。即ち、用紙坪量が「５５〜６３」の場合は用紙種類を「うす紙」に設定し、用紙坪量が「６４〜９８」の場合は「普通紙」（または「上質紙」、「再生紙」）に設定する。そして、用紙坪量が「９９〜１６９」の場合は「厚紙１」（片面に画像が形成されている場合は「厚紙１（裏）」）に設定し、用紙坪量が「１７０〜２２０」の場合は「厚紙２」（片面に画像が形成されている場合は「厚紙２（裏）」）に設定する。
【００３７】
また、「ユーザー定義用紙」は、選択トレイに収容する記録シートＳの種類を、他の給紙トレイＴＲ１〜ＴＲ４の記録シートＳの種類から区別するためにユーザーが定義する用紙種類の名前であり、例えば、「色紙」と定義することにより、「普通紙」等と区別することができる。なお、前記設定可能な用紙種類は、実施の形態１の画像形成装置で設定可能な用紙種類であり、画像形成装置Ｕの機種毎に変更することが可能である。
【００３８】
Ｃ４：種類記憶手段
種類記憶手段Ｃ４は、各給紙トレイＴＲ１〜ＴＲ４に対して、種類設定手段Ｃ３で設定された記録シートＳの種類を一時的に記憶しておく種類一時記憶手段Ｃ４ａと、前記一時的に記憶された用紙種類が選択トレイに収容された記録シートＳの種類として確定した場合に、確定した用紙種類を記憶する種類確定記憶手段Ｃ４ｂとを有する。
Ｃ５：サイズ設定手段
サイズ設定手段Ｃ５は、定形サイズ設定手段Ｃ５ａと定形外サイズ設定手段Ｃ５ｂとを有し、前記選択トレイに収容された用紙サイズ（記録シートＳのサイズ）を設定する。
【００３９】
Ｃ５ａ：定形サイズ設定手段
定形サイズ設定手段Ｃ５ａは、設定可能定形サイズ記憶手段Ｃ５ａ１を有し、シートサイズ検出センサＳＮ１で自動検出されたサイズが設定可能定形サイズ記憶手段Ｃ５ａ１に記憶された定形サイズのいずれか一つに該当する場合に、自動検出された定形サイズを、選択トレイの記録シートＳのサイズとして設定する。
Ｃ５ａ１：設定可能定形サイズ記憶手段
設定可能定形サイズ記憶手段Ｃ５ａ１は、前記定形サイズ設定手段Ｃ５ａで設定可能な記録シートＳの定形サイズを記憶する。実施の形態１の設定可能定形サイズ記憶手段Ｃ５ａ１は、前記設定可能な定形サイズとして、「Ａ３」、「Ｂ４」、「Ａ４」、「Ｂ５」、「Ａ５」、「レターサイズ」、「はがき」、「長形３号（封筒）」等を記憶している。なお、前記設定可能な定形サイズは、画像形成装置Ｕの機種毎に変更することが可能である。
【００４０】
Ｃ５ｂ：定形外サイズ設定手段
定形外サイズ設定手段Ｃ５ｂは、シートサイズ検出センサＳＮ１で自動検出されたサイズが設定可能定形サイズ記憶手段Ｃ５ａ１に記憶された定形サイズのいずれにも該当しない場合（即ち、定形外サイズである場合）に、ユーザインタフェースＵＩの表示器ＵＩ４に用紙サイズ設定画面（後述する図１４参照）を表示し、用紙サイズ設定画面で入力されたサイズを、前記選択トレイの記録シートＳのサイズとして設定する。実施の形態１の定形外サイズ設定手段Ｃ５ｂでは、記録シートＳの長さ及び幅をユーザインタフェースＵＩからミリメートル単位で入力して設定することができる。
なお、長さ及び幅をミリメートル単位で入力するのに替えて、前記記録シートＳの長さ及び幅をユーザーが前記定形サイズのいずれかに近似していると判断した場合に、判断した前記定形サイズを選択して入力できるように前記定形外サイズ設定手段Ｃ５ｂを構成することも可能である。また、前記近似する定形サイズを定形外サイズ設定手段Ｃ５ｂが自動的に判断して設定するよう構成することも可能である。
【００４１】
Ｃ６：サイズ記憶手段
サイズ記憶手段Ｃ６は、各給紙トレイＴＲ１〜ＴＲ４に対して、サイズ設定手段Ｃ５で設定された記録シートＳのサイズ（定形サイズまたはミリメートル単位で設定された定形外サイズ）を一時的に記憶しておくサイズ一時記憶手段Ｃ６ａと、前記一時的に記憶された用紙サイズが選択トレイに収容された記録シートＳのサイズとして確定した場合に、確定した用紙サイズを記憶するサイズ確定記憶手段Ｃ６ｂとを有する。
Ｃ７：トレイ着脱記憶手段
トレイ着脱記憶手段Ｃ７は、第１給紙トレイ出入フラグＦＬ１ａと、第２給紙トレイ出入フラグＦＬ１ｂと、第３給紙トレイ出入フラグＦＬ１ｃと、第４給紙トレイ出入フラグＦＬ１ｄとを有している。そして、前記トレイ着脱記憶手段Ｃ７は、各給紙トレイＴＲ１〜ＴＲ４からの給紙が実行された最近のジョブ終了後（前回のジョブ終了後）、または、記録シートＳの種類及びサイズの設定がされた後に、前記各給紙トレイＴＲ１〜ＴＲ４が着脱されたか否かを、給紙トレイＴＲ１〜ＴＲ４毎に記憶する。
【００４２】
ＦＬ１ａ：第１給紙トレイ出入フラグ
第１給紙トレイ出入フラグＦＬ１ａは、初期値が「０」であり、前記第１給紙トレイＴＲ１がプリンタＵ１に対して出し入れ（着脱）されたことを前記トレイ着脱センサＳＮ２が検出した場合に「１」になる。そして、第１給紙トレイＴＲ１から給紙が行われたジョブが終了した時または第１給紙トレイＴＲ１に対する種類及びサイズの設定が行われた時に「０」となる。
ＦＬ１ｂ〜ＦＬ１ｄ：第２給紙トレイ出入フラグ〜第４給紙トレイ出入フラグ
第２給紙トレイＴＲ２、第３給紙トレイＴＲ３及び第４給紙トレイＴＲ４それぞれに対して、前記第１給紙トレイ出入フラグＦＬ１ａと同様に構成された第２給紙トレイ出入フラグＦＬ１ｂ、第３給紙トレイ出入フラグＦＬ１ｃ及び第４給紙トレイ出入フラグＦＬ１ｄが設けられている。
【００４３】
Ｃ８：一致確認告知手段
一致確認告知手段Ｃ８は、一致確認画面表示手段Ｃ８ａを有し、選択トレイに対する前回のジョブ終了後または前回の記録シートＳの種類及びサイズ設定後、前記種類設定手段Ｃ３で選択トレイの記録シートＳの種類が設定された場合に、選択トレイがプリンタＵ１に対して着脱されていない場合に、選択トレイ内の記録シートＳと、前記種類設定手段Ｃ３で設定された前記記録シートＳとが一致していないことを告知する。
Ｃ８ａ：一致確認画面表示手段
確認画面表示手段Ｃ８ａは、前記一致確認告知手段Ｃ８で告知を行う場合に、ユーザインタフェースＵＩの表示部ＵＩ４に、選択トレイ内の記録シートＳの種類と、設定された種類とが一致していることを確認することをユーザーに促す一致確認画面を表示する。
【００４４】
Ｃ９：告知種類記憶手段
告知種類記憶手段Ｃ９は、ユーザーによって設定された記録シートの種類及びサイズの設定の確認をユーザーに告知する確認告知種類と、前記告知をしない種類である非確認告知種類とを記憶する。実施の形態１の告知種類記憶手段Ｃ９は、前記確認告知種類として、「ＯＨＰシート」と「ラベル紙」とを記憶し、それ以外の前記設定可能な用紙種類（「普通紙」等）を非告知種類として記憶している。なお、前記確認告知種類は、画像形成装置Ｕの機種毎に変更可能である。
Ｃ１０：設定確認告知手段
設定確認告知手段Ｃ１０は、設定確認画面表示手段Ｃ１０ａを有し、選択トレイに収容された記録シートＳに対して前記種類設定手段Ｃ３で設定された種類が告知種類記憶手段Ｃ９で記憶された前記確認告知種類であり、且つ、サイズ設定手段Ｃ５で設定された用紙サイズが定形外である場合に、前記記録シートＳの種類の設定またはサイズの設定の確認を行うことをユーザーに告知する。
Ｃ１０ａ：設定確認画面表示手段
設定確認画面表示手段Ｃ１０ａは、前記設定確認告知手段Ｃ１０で告知を行う場合に、ユーザインタフェースＵＩの表示部ＵＩ４に、設定された用紙種類及び用紙サイズの組み合わせが間違えている可能性が高いので、設定を確認することを促す設定確認画面確認画面を表示する。
【００４５】
したがって、実施の形態１の画像形成装置Ｕでは、定形外の「ＯＨＰシート」または定形外の「ラベル紙」が使用された場合、画像形成パラメータが調節できず、画像形成不良やジャム等のトラブルが発生する可能性が高い（即ち、画像形成装置が対応していない）ものと設定し、前記２種類を確認告知種類として告知種類記憶手段Ｃ９が記憶している。前記確認告知種類は、トラブルが発生する可能性がある種類だけでなく、たとえば、定形外のサイズで使用される可能性が低い種類や、一般に市場に定形外サイズのものが存在しない種類等を基準として設定することも可能である。また、実施の形態１の画像形成装置Ｕでは、定形サイズである場合は全ての用紙種類でトラブルが発生する可能性が低いものと設定されているため、告知種類記憶手段Ｃ９は用紙種類のみを確認告知種類として記憶している。しかし、特定の定形サイズと特定の用紙種類の組み合わせでもトラブルが発生する可能性が高い機種の画像形成装置では、定形サイズと用紙種類とを組み合わせて確認告知種類として記憶することも可能である。即ち、例えば、「Ａ３サイズの厚紙２」を確認告知種類とし、「Ａ４サイズの厚紙２」を非確認告知種類に設定したりすることも可能である。さらに、確認告知種類と非確認告知種類の両方を記憶せず、いずれか一方のみを記憶することも可能である。例えば、確認告知種類のみ記憶しておき、設定された記録シートＳの種類が確認告知種類に該当しなければ、非確認告知種類であると判断するよう構成することも可能である。
【００４６】
Ｃ１１：設定キャンセル手段
設定キャンセル手段Ｃ１１は、記録シートＳの種類及びサイズの設定を行っている途中でキャンセルボタンが入力された場合に、それまで入力されて一時記憶されていた選択トレイや用紙種類、用紙サイズの設定を初期化する。
【００４７】
ＦＬ２：確認告知種類判別フラグ
確認告知種類判別フラグＦＬ２は、初期値は「０」であり、設定された記録シートＳのサイズが定形外であり且つ用紙種類が前記確認告知種類である場合に「１」となり、それ以外の場合に「０」となる。
ＦＬ３：用紙サイズ設定不要判別フラグ
用紙サイズ設定不要判別フラグＦＬ３は、初期値は「０」であり、設定された用紙サイズが定形外である場合に「１」となり、設定された用紙サイズが定形サイズである場合に「０」となる。
【００４８】
（フローチャートの説明）
次にフローチャートを使用して本発明の画像形成装置の用紙種類及び用紙サイズの設定処理を説明する。
（メインフローチャートの説明）
図５は本発明の実施の形態１の画像形成装置の用紙種類及びサイズの設定処理のメインフローチャートである。
図５のフローチャートの各ＳＴ（ステップ）の処理は、前記コントローラＣのＲＯＭに記憶されたプログラムに従って行われる。また、この処理は画像形成装置の他の各種処理と並行してマルチタスクで実行される。
【００４９】
図５に示すブレードクリーニング処理フローは画像形成装置Ｕの電源オンにより開始される。
図５のＳＴ１において、用紙設定ボタンがオンされたか否かを判別する。ノー（Ｎ）の場合はＳＴ１を繰り返し、イエス（Ｙ）の場合はＳＴ２に移る。
ＳＴ２において、トレイ選択処理（後述の図７のサブルーチン）が実行され、ユーザーの入力によって、前記第１給紙トレイＴＲ１〜第４給紙トレイＴＲ４のいずれかが用紙種類及び用紙サイズの設定が行われる選択トレイとして選択される。そして、ＳＴ３に移る。
【００５０】
ＳＴ３において、用紙種類設定処理（後述の図９のサブルーチン）が実行され、前記選択トレイに収容された記録シートＳの種類が設定される。そして、ＳＴ４に移る。
ＳＴ４において、ＳＴ２の処理で選択された選択トレイの給紙トレイ出入フラグＦＬ１（例えば、選択トレイが第３給紙トレイＴＲ３である場合、第３給紙トレイ出入フラグＦＬ１ｃ）の値が「１」であるか否かを判別する。即ち、前回のジョブの終了後または選択トレイに対する前回の種類及びサイズの設定後に、前記選択トレイが出入されたか否かを判別する。ノー（Ｎ）の場合は、ＳＴ５に移り、イエス（Ｙ）の場合は、ＳＴ６に移る。
【００５１】
図６は実施の形態１の一致確認告知画面の説明図である。
ＳＴ５において、ユーザインタフェースＵＩの表示器ＵＩ４に図６に示す一致確認告知画面を表示し、ユーザーに対し、選択トレイに設定された用紙種類の記録シートＳを入れる（または、今まで入っていた記録シートＳと入れ替える）よう促す表示を行う。なお、図６は、ＳＴ２の処理において第３給紙トレイＴＲ３が選択トレイとして選択され、ＳＴ３の処理において「ＯＨＰシート」が用紙種類として設定された場合の一致確認告知画面である。
したがって、ＳＴ３〜ＳＴ５の処理によって、記録シートＳの種類が設定された場合に（図６では「ＯＨＰシート」）、選択トレイ（図６では第３給紙トレイＴＲ３）が出入されていなければ、選択トレイに設定後の記録シートＳが入っていない（または、入れ替えられていない）と判断し、設定後の記録シートＳを入れるようユーザーに告知する。
【００５２】
ＳＴ６において、サイズ・種類組み合わせチェック処理（後述の図１１のサブルーチン）が実行される。即ち、選択トレイに収容された記録シートＳのサイズを自動検知し、検知したサイズとＳＴ３で設定された用紙種類との組み合わせをチェックする。そして、ＳＴ７に移る。
ＳＴ７において、確認告知種類判別フラグＦＬ２の値が「１」であるか否かを判別する。ノー（Ｎ）の場合はＳＴ８に移り、イエス（Ｙ）の場合はＳＴ９に移る。
ＳＴ８において、次の処理（１），（２）を実行し、ＳＴ１に戻る。
（１）一時記憶された用紙種類を初期化する。
（２）一時記憶された用紙サイズを初期化する。
したがって、ＳＴ６〜ＳＴ８の処理によって、自動検知したサイズが定形外であり且つ、確認告知種類（ＯＨＰシートまたはラベル紙）である場合、ユーザーが設定を間違えたと判断し、一時記憶された記録シートＳの種類及びサイズを初期化（リセット）する。
【００５３】
ＳＴ９において、用紙サイズ設定不要判別フラグＦＬ３の値が「１」であるか否かを判別する。イエス（Ｙ）の場合はＳＴ１０に移り、ノー（Ｎ）の場合はＳＴ１１に移る。
ＳＴ１０において、用紙サイズ設定処理（後述の図１３のサブルーチン）が実行される。そしてＳＴ１１に移る。
ＳＴ１１において、次の処理（１），（２）を実行し、ＳＴ１に戻る。
（１）一時記憶された用紙種類を確定された用紙種類として記憶する。
（２）一時記憶された用紙サイズを確定された用紙サイズとして記憶する。
【００５４】
前記ＳＴ６，ＳＴ９〜ＳＴ１１の処理によって、自動検知された用紙サイズが定形外であり且つ、用紙種類が確認告知種類でない場合、ＳＴ１０において用紙サイズをユーザーが設定し、設定された用紙サイズ及び用紙種類が選択トレイに収容された記録シートＳの用紙サイズ及び用紙種類として確定し、記憶される（登録される）。また、自動検知されたサイズが定形である場合、ＳＴ６，ＳＴ９，ＳＴ１１の処理によって、自動検知されたサイズ及び設定された種類が、選択トレイに収容された記録シートＳのサイズ及び種類として確定し、記憶される。
【００５５】
（ＳＴ２のサブルーチンのフローチャートの説明）
図７は前記図５のＳＴ２のトレイ選択処理のフローチャートである。
図８はトレイ選択画面の説明図である。
図７のＳＴ２１において、図８に示すトレイ選択画面が表示される。そしてＳＴ２２に移る。図８のトレイ選択画面には、ＳＴ２１の状態で種類確定記憶手段Ｃ４ｂ及びサイズ確定記憶手段Ｃ６ｂに記憶されている設定が表示されている。なお、図８のトレイ選択画面は、トレイ１（第１給紙トレイＴＲ１）に普通紙・Ａ４、トレイ２（第２給紙トレイＴＲ２）に普通紙・Ａ３、トレイ３（第３給紙トレイＴＲ３）に厚紙１・Ａ４、トレイ４（第４給紙トレイＴＲ４）に再生紙・定形外が設定されている場合のトレイ選択画面である。
【００５６】
ＳＴ２２において、図８のトレイ選択表示画面で、給紙トレイＴＲ１〜ＴＲ４のうちいずれかひとつの給紙トレイが選択されてＯＫボタンが押されたか否かを判別する。ノー（Ｎ）の場合はＳＴ２２を繰り返し、イエス（Ｙ）の場合は、ＳＴ２３に移る。
ＳＴ２３において、ＳＴ２２において選択された給紙トレイを選択トレイとして記憶する。そして、サブルーチンを終了してメインフローチャートに戻り、前記ＳＴ３に移る。
前記ＳＴ２１〜ＳＴ２３の処理によって、用紙種類及び用紙サイズの設定が行われる給紙トレイの選択が行われる。
【００５７】
（ＳＴ３、ＳＴ３９のサブルーチンのフローチャートの説明）
図９は前記図５のＳＴ３または図１１のＳＴ３９の用紙種類設定処理のフローチャートである。
図１０は用紙種類設定画面の説明図である。
図９のＳＴ２６において、図１０に示す用紙種類設定画面が表示される。そして、ＳＴ２７に移る。なお、図１０の用紙種類設定画面には前記設定可能種類記憶手段Ｃ３ａで記憶された用紙種類（設定可能な記録シートＳの用紙種類）が表示されている。
ＳＴ２７において、図１０の用紙種類設定画面で、いずれかの用紙種類が選択されてＯＫボタンが押されたか否かを判別する。ノー（Ｎ）の場合はＳＴ２７を繰り返し、イエス（Ｙ）の場合はＳＴ２８に移る。
ＳＴ２８において、ＳＴ２７の処理で選択された用紙種類を、選択トレイの記録シートＳの種類として一時記憶する。そして、サブルーチンを終了して図５のメインフローチャートまたは後述の図１１のサブルーチンに戻る。
したがって、ＳＴ２６〜ＳＴ２８の処理によって、選択トレイの用紙種類（記録シートＳの種類）が設定され一時記憶される。
【００５８】
（ＳＴ６のサブルーチンのフローチャートの説明）
図１１は前記図５のＳＴ６のサイズ・種類組み合わせチェック処理のフローチャートである。
図１１のＳＴ３１において、次の処理（１），（２）が実行される。
（１）確認告知種類判別フラグＦＬ２の値を「０」とする。
（２）選択トレイに収容された用紙サイズ（記録シートＳのサイズ）を自動検出する。
そして、ＳＴ３２に移る。
ＳＴ３２において、ＳＴ３１で自動検出された用紙サイズが定形か否かを判別する。イエス（Ｙ）の場合はＳＴ３３に移り、ノー（Ｎ）の場合は、ＳＴ３４に移る。
【００５９】
ＳＴ３３において、次の処理（１），（２）を実行する。
（１）自動検出された定形サイズ（Ａ４、Ｂ５等）を選択トレイの用紙サイズとして一時記憶する。
（２）用紙サイズ設定不要判別フラグＦＬ３の値を「０」とする。
そして、図１１のサブルーチンを終了し前記図５のメインフローチャートに戻り、ＳＴ７に移る。
前記ＳＴ３１〜ＳＴ３３の処理によって、自動検知された用紙サイズが定形である場合、自動検知された用紙サイズが選択トレイの用紙サイズ（記録シートＳのサイズ）として一時記憶される。
【００６０】
ＳＴ３４において、用紙サイズ設定不要判別フラグＦＬ３の値を「１」とする。そして、ＳＴ３５に移る。
ＳＴ３５において、前記図９のＳＴ２８で一時記憶された用紙種類が確認告知種類である「ＯＨＰシート」であるか否かを判別する。ノー（Ｎ）の場合はＳＴ３６に移り、イエス（Ｙ）の場合はＳＴ３７に移る。
ＳＴ３６において、前記図９のＳＴ２８で一時記憶された用紙種類が確認告知種類である「ラベル紙」であるか否かを判別する。イエス（Ｙ）の場合はＳＴ３７に移る。ノー（Ｎ）の場合は、サブルーチンを終了し、図５のメインフローチャートに戻り前記ＳＴ７に移る。
前記ＳＴ３４〜ＳＴ３６の処理によって、自動検知された用紙サイズが定形外であり且つ、一時記憶された用紙種類が確認告知種類でない場合、用紙サイズの設定が必要であると処理される。
【００６１】
図１２は確認告知画面の説明図である。
ＳＴ３７において、図１２に示す設定確認告知画面が表示され、ＳＴ３８に移る。なお、図１２の設定確認告知画面は、自動検知された用紙サイズが定形外であり且つ、一時記憶されている用紙種類が「ＯＨＰシート」である場合の確認告知画面である。
ＳＴ３８において、図１２の設定確認告知画面で再設定ボタンが入力されたか否かを判別する。イエス（Ｙ）の場合はＳＴ３９に移り、ノー（Ｎ）の場合はＳＴ４０に移る。
【００６２】
ＳＴ３９において、用紙種類設定処理（ＳＴ３と同様の処理、図９参照）を実行する。そしてＳＴ３１に戻る。
ＳＴ４０において、図１２の設定確認告知画面でＯＫが入力されたか否かを判別する。ノー（Ｎ）の場合はＳＴ３８に戻り、イエス（Ｙ）の場合はＳＴ４１に移る。
ＳＴ４１において、確認告知種類判別フラグＦＬ２の値を「１」とする。そして、サブルーチンを終了し、図５のメインフローチャートに戻り前記ＳＴ７に移る。
【００６３】
前記ＳＴ３７〜ＳＴ４１の処理によって、自動検出された記録シートＳのサイズが定形外であり、且つ、一時記憶された用紙種類が「ＯＨＰシート」または「ラベル紙」、即ち、確認告知種類である場合に、ユーザーが用紙種類の設定を間違えたと判断し、確認するよう促す設定確認告知画面（図１２）を表示を行う。そして、前記設定確認告知画面が表示された時に、ユーザーが種類を再設定する場合は、ＳＴ３９で再設定を行う。前記設定確認告知画面で、ユーザーが再設定をせずＯＫを入力した場合、記録シートＳのサイズと種類との組み合わせが、定形外の「ＯＨＰシート」または定形外の「ラベル紙」に設定される。しかし、定形外の「ＯＨＰシート」または定形外の「ラベル紙」に画像形成をすると正確な画像が形成される保証がなく、ジャムが発生する可能性もあるので、ＳＴ４１で種類とサイズの組み合わせが不適当と判別する。なお、実施の形態１の画像形成装置Ｕでは、組み合わせが不適当と判別した場合、即ち、確認告知種類判別フラグＦＬ２の値が「１」である場合、その給紙トレイからの給紙を実行しないよう前記ジョブ制御手段Ｃ１で制御する。
【００６４】
（ＳＴ１０のサブルーチンのフローチャートの説明）
図１３は前記図５のＳＴ１０の用紙サイズ設定処理のフローチャートである。
図１４は用紙サイズ設定画面の説明図である。
図１３のＳＴ４６において、図１４に示す用紙サイズ設定画面がユーザインタフェースＵＩの表示器ＵＩ４に表示され、ＳＴ４７に移る。なお、図１４に示す用紙サイズ設定画面は、選択トレイとして第３給紙トレイＴＲ３が選択され、用紙種類として再生紙が設定されている場合の用紙サイズ設定画面である。
【００６５】
ＳＴ４７において、図１４の用紙サイズ設定画面において、用紙の縦及び横（幅及び長さ）がミリメートル単位で入力された後ＯＫが入力されたか否かを判別する。ノー（Ｎ）の場合はＳＴ４７を繰り返し、イエス（Ｙ）の場合はＳＴ４８に移る。
ＳＴ４８において、ＳＴ４７で入力された用紙サイズを一時記憶する。そして、図１３のサブルーチンを終了して、図５のメインフローチャートに戻り、ＳＴ１１に移る。
前記ＳＴ４６〜ＳＴ４８の処理によって、自動検知された記録シートＳのサイズが定形外である場合に、ユーザーの入力によってミリメートル単位で記録シートＳのサイズが設定される。
【００６６】
なお、前記一致確認告知画面（図６参照）、トレイ選択画面（図８参照）、用紙種類選択画面（図１０参照）、設定確認告知画面（図１２参照）及び用紙サイズ設定画面（図１４参照）において、ユーザーがキャンセルを入力した場合、一時記憶された記録シートの用紙サイズ及び用紙種類が初期化される。即ち、設定処理がキャンセルされ、種類確定記憶手段Ｃ４ｂ及びサイズ確定記憶手段Ｃ６ｂに記憶されていた用紙種類および用紙サイズが変更されない。
【００６７】
（実施の形態１の作用）
前記構成を備えた実施の形態１の画像形成装置Ｕでは、記録シートＳの種類が設定された後に、選択トレイが出入されているか否かを判別し、選択トレイが出入されていない場合、一致確認告知画面（図６参照）が表示される。したがって、用紙種類が設定された際に選択トレイが出入されていない場合、設定された用紙種類の記録シートＳが選択トレイに入っておらず、選択トレイに収容されている記録シートＳと、設定された用紙種類の記録シートＳとが一致していないと判断する。即ち、ユーザーが選択トレイに記録シートＳを入れ忘れたか、入れ替え忘れていると判断し、ユーザーに告知する。この結果、選択トレイに収容されている記録シートＳの用紙種類と、設定された（一時記憶されている）用紙種類とが一致していない可能性を低減することができる。
【００６８】
また、選択トレイが出入されたことを判別した後に、用紙サイズを自動検知することによって、入れ替える前の記録シートＳの用紙サイズを自動検知して、入れ替え前の用紙サイズを、入れ替え後の用紙サイズとして設定することが防止される。これにより、選択トレイに収容されている記録シートＳの用紙種類及び用紙サイズと、設定された用紙種類及び用紙サイズとが一致していない可能性をさらに低減することができる。
さらに、一致確認画面に選択トレイと、設定され一時記憶されている用紙種類を表示することによって、ユーザーが設定の確認をすることができ、設定を間違えている場合に設定ミスを気付かせることができる。または、表示された設定を確認しながらユーザーが記録シートＳを選択トレイに収容することができる。この結果、記録シートＳの種類の設定ミスを少なくすることができる。
【００６９】
また、実施の形態１の画像形成装置Ｕは、自動検知した用紙サイズが定形外であり且つ、ユーザーが設定した用紙種類が「ＯＨＰシート」または「ラベル紙」である場合、即ち確認告知種類である場合、設定確認告知画面（図１２参照）を表示する。したがって、トラブルが発生する可能性が高く、一般にほとんど使用されることがない定形外の「ＯＨＰシート」または定形外の「ラベル紙」が設定された場合、ユーザーが設定を間違えている可能性が高いと判断し、設定確認告知画面を表示してユーザーに設定の確認を促す。そして、実施の形態１の画像形成装置では、確認を促した後、ユーザーがＯＫを入力した場合には、前記確認告知種類の記録シートＳに正確な画像が形成される保証がなく、ジャムが発生する可能性が高い（即ち、トラブルが発生する可能性が高い）ので、ユーザーが定形外サイズ且つ確認告知種類の設定をした給紙トレイから給紙を実行しないよう制御する。
【００７０】
したがって、設定確認告知画面を表示してユーザーに設定を再確認させることによって、ユーザーが設定を間違えている場合や、ユーザーが定形サイズの記録シートＳを選択トレイの所定の位置に収容していないために定形外と判別された場合等にユーザーのミスを気付かせることができる。したがって、ユーザーにミスを気付かせ、設定等の確認を促すことができるので、記録シートの種類とサイズとの組み合わせの設定ミスを少なくすることができる。この結果、選択トレイに収容された記録シートＳの種類及びサイズと、設定された種類及びサイズとが一致しない（相違する）可能性をさらに低減することができる。また、定形外サイズ且つ確認告知種類の設定がされた給紙トレイから給紙を実行しないことにより、トラブルの発生を未然に防止することもできる。
【００７１】
（実施の形態２）
実施の形態２の説明において、前記実施の形態１と同一の構成要素には同一の符号を使用してその詳細な説明は省略する。実施の形態２では、以下の点において前記実施の形態１と相違するがその他の構成は実施の形態１と同様に構成されている。
（コントローラＣの機能の説明）
図１５は実施の形態２の画像形成装置の制御部分が備えている各機能をブロック図で示した図であり、実施の形態１の図４に対応する図である。
図１５において、実施の形態２の画像形成装置Ｕでは、実施の形態１の画像形成装置の制御要素に加え、確認告知種類警告表示手段Ｃ１２が設けられている。
【００７２】
Ｃ１２：確認告知種類警告表示手段
確認告知種類警告表示手段Ｃ１２は、シートサイズ検出センサＳＮ１で自動検出された用紙サイズが定形外であり且つ、前記種類設定手段Ｃ３で記録シートＳの種類が「ＯＨＰシート」または「ラベル紙」である場合、即ち、告知確認種類である場合、前記用紙サイズ設定画面上に警告を表示する。即ち、定形外且つ確認告知種類の記録シートＳではトラブル（画像形成不良等）が発生する可能性が高いことを警告し、ユーザーに設定を再確認する機会を与える。
【００７３】
（フローチャートの説明）
次にフローチャートを使用して、実施の形態２の画像形成装置Ｕの用紙種類及び用紙サイズの設定処理を説明するが、実施の形態２の用紙種類及び用紙サイズの設定処理では、以下の点が異なるだけで、その他の制御・処理は実施の形態１の各処理と同様に処理される。
（メインフローチャートの説明）
図１６は実施の形態２の画像形成装置の用紙種類及びサイズの設定処理のメインフローチャートであり、実施の形態１の図５に対応するフローチャートである。
図１６に示す実施の形態２のメインフローチャートは、実施の形態１の図５のメインフローチャートのＳＴ７，ＳＴ８が省略されている（図１６の点線参照）点が実施の形態１のメインフローチャートと異なる。
【００７４】
（ＳＴ１０のサブルーチンのフローチャートの説明）
図１７は前記図１６のＳＴ１０の用紙サイズ設定処理のフローチャートであり、実施の形態１の図１３に対応するフローチャートである。
図１８は確認告知種類警告表示がされた用紙サイズ設定画面の説明図である。実施の形態２の画像形成装置Ｕでは、図１７の用紙サイズ設定処理のサブルーチンにおいて、ＳＴ４６とＳＴ４７の間に、次のＳＴ５１及びＳＴ５２の処理が実行される。
【００７５】
図１７のＳＴ５１において、確認告知種類判別フラグＦＬ２の値が「１」であるか否かを判別する。イエス（Ｙ）の場合はＳＴ５２に移り、ノー（Ｎ）の場合はＳＴ４７に移る。
ＳＴ５２において、図１８に示すように、設定された記録シートＳの用紙サイズが確認告知種類であり、トラブル（画像形成不良やジャムの発生）が発生する可能性があることを、ユーザインタフェースＵＩの表示器ＵＩ４に表示された用紙サイズ設定画面上に警告表示する。そしてＳＴ４７に移る。なお、図１８は、選択トレイが第３給紙トレイＴＲ３（トレイ３）、ユーザーによって設定され一時記憶された用紙種類が「ＯＨＰシート」であり、自動検出されたサイズが定形外である場合に警告が表示された用紙サイズ設定画面である。
【００７６】
前記ＳＴ５１，ＳＴ５２の処理によって、定形外且つ確認告知種類の記録シートＳが設定されている場合、ユーザーに対して警告を表示し、設定の再確認を促す。そして、ＳＴ４７の処理において、ユーザーが警告を確認し、トラブルの発生する可能性を認識した上で、定形外且つ確認告知種類を用紙サイズ及び用紙種類として設定した場合、実施の形態２の画像形成装置Ｕでは、実施の形態１の画像形成装置Ｕと異なり、確認告知種類の記録シートＳが収容された給紙トレイから給紙を行い画像形成を実行する。
【００７７】
（実施の形態２の作用）
前記構成を備えた実施の形態２の画像形成装置Ｕでは、定形外サイズ且つ確認告知種類の記録シートＳが設定された場合、前記実施の形態１の画像形成装置と同様に設定確認告知画面（図１２参照）が表示され、その後に、さらに用紙サイズ設定画面上に警告（図１８参照）が表示される。したがって、用紙種類及び用紙サイズの設定をユーザーに確認させることができるので、記録シートＳの種類とサイズとの組み合わせの設定ミスを少なくすることができ、選択トレイに収容された記録シートＳの種類及びサイズと、設定された種類及びサイズとが一致しない（相違する）可能性をさらに低減することができる。
また、実施の形態２の画像形成装置Ｕでは、ユーザーが、トラブルが発生する可能性を認識しつつ定形外サイズ且つ確認告知種類の設定を行った場合、定形外且つ確認告知種類の記録シートＳが収容された給紙トレイＴＲ１〜ＴＲ４からの給紙が実行される。したがって、ユーザーの意思が優先され、定形外且つ確認告知種類の記録シートＳに対して画像形成を実行することができる。
【００７８】
（変更例）
以上、本発明の実施の形態を詳述したが、本発明は、前記実施の形態に限定されるものではなく、特許請求の範囲に記載された本発明の要旨の範囲内で、種々の変更を行うことが可能である。本発明の変更例（Ｈ01）〜（Ｈ05）を下記に例示する。
（Ｈ01）本発明はモノクロの画像形成装置だけでなく、カラーの画像形成装置にも適用可能である。また、感光体ＰＲ上のトナー像を直接記録シートＳ（被転写体）に転写する画像形成装置だけでなく、中間転写体を使用する画像形成装置にも適用可能である。
（Ｈ02）前記実施の形態１，２において、一致確認告知手段及び設定確認告知手段でユーザーに告知をする場合に、一致確認告知画面及び設定確認告知画面を使用したが、警告ブザーや音声ガイダンス、あるいはこれらの組み合わせ等の任意の告知手段を採用することができる。
【００７９】
（Ｈ03）前記実施の形態１，２において、用紙サイズを設定する際に、用紙のサイズをミリメートル単位で設定するのに替えて、ユーザインタフェースＵＩの表示器ＵＩ４に設定可能な定形サイズを表示し、ユーザーが最も近似する定形サイズを選択して設定できるように構成することも可能である。
（Ｈ04）前記各実施の形態において、シートＳの種類及びサイズの設定は、画像形成装置Ｕに設けられたユーザインタフェースＵＩの表示器ＵＩ４からの入力だけでなく、例えば、画像形成装置ＵにＬＡＮ等の回線で接続された端末（パソコン等）からの入力・操作によって設定できるように構成することも可能である。この場合、前記用紙種類設定画面や、一致確認告知画面等の画面は、端末の表示装置（モニター・ディスプレイ等）に表示することも可能である。
（Ｈ05）前記各実施の形態において、用紙のサイズを設定した後に用紙の種類を設定するよう構成することも可能である。また、用紙サイズ及び用紙種類の両方が設定された後に、選択トレイが出し入れされているか否かを判別して、出し入れされていない場合にユーザーに告知するよう構成することも可能である。
【００８０】
【発明の効果】
前述の本発明の画像形成装置は下記の効果（Ｅ01）〜（Ｅ03）を奏する。
（Ｅ01）給紙トレイに収容された記録シートの種類及びサイズと、ユーザーが設定した記録シートの種類及びサイズとが一致しない可能性を低減することができる。
（Ｅ02）記録シートの種類とサイズとの組み合わせの設定ミスを少なくすることができる。
（Ｅ03）設定ミスによる画像形成不良やジャムの発生を低減することができる。
【図面の簡単な説明】
【図１】図１は本発明の給紙装置の実施例１を備えた画像形成装置の斜視図である。
【図２】図２は同実施例１の全体説明図である。
【図３】図３は実施の形態１の画像形成装置の制御部分が備えている各機能をブロック図（機能ブロック図）で示した図である。
【図４】図４は実施の形態１の画像形成装置の制御部分が備えている各機能をブロック図（機能ブロック図）の前記図３の続きのブロック図である。
【図５】図５は本発明の実施の形態１の画像形成装置の用紙種類及びサイズの設定処理のメインフローチャートである。
【図６】図６は実施の形態１の一致確認告知画面の説明図である。
【図７】図７は前記図５のＳＴ２のトレイ選択処理のフローチャートである。
【図８】図８はトレイ選択画面の説明図である。
【図９】図９は前記図５のＳＴ３または図１１のＳＴ３９の用紙種類設定処理のフローチャートである。
【図１０】図１０は用紙種類設定画面の説明図である。
【図１１】図１１は前記図５のＳＴ６のサイズ・種類組み合わせチェック処理のフローチャートである。
【図１２】図１２は確認告知画面の説明図である。
【図１３】図１３は前記図５のＳＴ１０の用紙サイズ設定処理のフローチャートである。
【図１４】図１４は用紙サイズ設定画面の説明図である。
【図１５】図１５は実施の形態２の画像形成装置の制御部分が備えている各機能をブロック図で示した図であり、実施の形態１の図４に対応する図である。
【図１６】図１６は実施の形態２の画像形成装置の用紙種類及びサイズの設定処理のメインフローチャートであり、実施の形態１の図５に対応するフローチャートである。
【図１７】図１７は前記図１６のＳＴ１０の用紙サイズ設定処理のフローチャートであり、実施の形態１の図１３に対応するフローチャートである。
【図１８】図１８は確認告知種類警告表示がされた用紙サイズ設定画面の説明図である。
【符号の説明】
Ｃ１…ジョブ制御手段、Ｃ３…種類設定手段、Ｃ５…サイズ設定手段、Ｃ５ａ…定形サイズ設定手段、Ｃ５ｂ…定形外サイズ設定手段、Ｃ７…着脱記憶手段、Ｃ８…一致確認告知手段、Ｃ９…告知種類記憶手段、Ｃ１０…設定確認告知手段、Ｃ１０ａ…設定確認画面表示手段、Ｓ…記録シート、ＳＮ２…トレイ着脱センサ、ＴＲ１〜ＴＲ４…給紙トレイ、Ｕ…画像形成装置、ＵＩ…ユーザインタフェース、Ｕ１…画像形成装置本体。
【図１】
2004191895.tif 000003
【図２】
2004191895.tif 000004
【図３】
2004191895.tif 000005
【図４】
2004191895.tif 000006
【図５】
2004191895.tif 000007
【図６】
2004191895.tif 000008
【図７】
2004191895.tif 000009
【図８】
2004191895.tif 000010
【図９】
2004191895.tif 000011
【図１０】
2004191895.tif 000012
【図１１】
2004191895.tif 000013
【図１２】
2004191895.tif 000014
【図１３】
2004191895.tif 000015
【図１４】
2004191895.tif 000016
【図１５】
2004191895.tif 000017
【図１６】
2004191895.tif 000018
【図１７】
2004191895.tif 000019
【図１８】
2004191895.tif 000020